(57)【要約】【課題】簡易に整然とした形状に組み立てることができる大型製品用の梱包材及びこうした梱包材を用いる梱包方法を提供する。【解決手段】梱包材１０は、大型製品１を梱包する梱包材であって、天面部材２０と、側面部材３０，４０とを備える。天面部材２０は、大型製品１の天面を覆う。側面部材３０，４０は、天面部材２０とは別体であり、天面部材２０の所定の位置に吊り下げられた状態で大型製品１の側面を覆う。【選択図】図１
2007246118.tif 000002
【特許請求の範囲】
【請求項１】
大型製品（１）を梱包する梱包材（１０）であって、
前記大型製品（１）の天面を覆う天面部材（２０）と、
前記天面部材（２０）とは別体であり、前記天面部材（２０）の所定の位置に吊り下げられた状態で前記大型製品（１）の側面を覆う側面部材（３０，４０）と、
を備える、梱包材（１０）。
【請求項２】
前記天面部材（２０）には、開口（６１）又は差込み部（６２）の一方が形成されており、
前記側面部材（３０，４０）の上部（３１ａ，３２ａ，４１ａ，４２ａ）には、前記開口（６１）又は前記差込み部（６２）の他方が形成されており、
前記側面部材（３０，４０）は、前記差込み部（６２）が前記開口（６１）に差込まれることにより、前記所定の位置に吊り下げられた状態に維持される、
請求項１に記載の梱包材（１０）。
【請求項３】
前記差込み部（６２）は、前記側面部材（３０，４０）の上部（３１ａ，３２ａ，４１ａ，４２ａ）又は前記天面部材（２０）に形成された開曲線の形状の切り込み（３６）と、前記切り込み（３６）の第１端部と第２端部とを結ぶ線分（３７）とにより囲まれる部位である、
請求項２に記載の梱包材（１０）。
【請求項４】
前記側面部材（３０，４０）は、
前記天面部材（２０）の第１位置に吊り下げられた状態で前記大型製品（１）の側面を覆う第１側面部材（３０）と、
前記第１側面部材（３０）とは別体であり、前記天面部材（２０）の第２位置に吊り下げられた状態で前記大型製品（１）の側面を覆う第２側面部材（４０）と、
を有する、
請求項１から３のいずれかに記載の梱包材（１０）。
【請求項５】
前記側面部材（３０，４０）は、前記大型製品（１）が梱包された状態において互いに重なり合う複数の部位（３１ｂ，３３，４１ｂ，４３）を有する、
請求項１から４のいずれかに記載の梱包材（１０）。
【請求項６】
前記側面部材（３０，４０）とは別体であり、前記大型製品（１）の底面を保護する底面部材（５０）、
をさらに備え、
前記側面部材（３０，４０）の下部（３８，４８）は、前記大型製品（１）が梱包された状態において前記底面部材（５０）に接触しない、
請求項１から５のいずれかに記載の梱包材（１０）。
【請求項７】
大型製品（１）の天面を覆う天面部材（２０）と、前記天面部材（２０）とは別体であり、前記大型製品（１）の側面を覆う側面部材（３０，４０）とを有する梱包材（１０）により前記大型製品（１）を梱包する梱包方法であって、
前記大型製品（１）の天面に前記天面部材（２０）を載置する載置ステップと、
前記側面部材（３０，４０）を前記天面部材（２０）の所定の位置に吊り下げる吊り下げステップと、
互いに重なり合う前記側面部材（３０，４０）の複数の部位（３１ｂ，３３，４１ｂ，４３）を固定する固定ステップと、
を含む、梱包方法。
【請求項８】
前記天面部材（２０）には、開口（６１）又は差込み部（６２）の一方が形成されており、
前記側面部材（３０，４０）の上部（３１ａ，３２ａ，４１ａ，４２ａ）には、前記開口（６１）又は前記差込み部（６２）の他方が形成されており、
前記吊り下げステップでは、前記差込み部（６２）を前記開口（６１）に差込むことにより、前記側面部材（３０，４０）が前記所定の位置に吊り下げられた状態に維持される、
請求項７に記載の梱包方法。
【発明の詳細な説明】
【技術分野】
【０００１】
本発明は、大型製品を梱包する梱包材及び梱包方法に関する。
【背景技術】
【０００２】
多くの場合、工場等で生産される製品は、工場等から出荷されてから納品先に納品されるまでの間、適当な梱包材により梱包され、保護される。例えば、特許文献１に開示されるダンボール製の梱包材は、製品の天面を覆う天面部材、製品の側面を覆う側面部材及び製品の底面を覆う底面部材等からなり、これら複数の組み立て部材が組み立てられることにより全体として略直方体形状の梱包材となる。
【特許文献１】特開２００５−９６８０３号公報
【発明の開示】
【発明が解決しようとする課題】
【０００３】
ところで、ビル用マルチタイプの空気調和装置の室外ユニット等の大型製品を梱包する梱包材は、特許文献１のように、複数の組み立て部材から構成されることが望ましい。なぜならば、大型製品用の梱包材が一の組み立て部材から構成される場合には、そうした組み立て部材自体も大型となり、そのような大型の組み立て部材を取り扱うことは、少なからず梱包作業を行う作業者の負担を増大させるからである。
【０００４】
そこで、大型製品を複数の組み立て部材からなる梱包材を用いて梱包しようとすると、今度は、たとえ組み立て部材の寸法が厳密に計算されたものであったとしても、作業者が少人数、特に、一人である場合には、組み立て部材を設計どおり精緻に組み立てることが難しく、仕上がりの品質が維持されないといった問題が生じることがある。不慣れな作業者の場合も同様である。このようにして低品質の梱包がされてしまった場合には、梱包材が設計どおりの耐性を発揮せず、例えば、製品の搬送時に梱包が解けてしまう等といった不具合が生じることがある。しかしながら、むやみに作業者を増員等することは、人件費の観点からも得策ではない。
【０００５】
本発明の課題は、簡易に整然とした形状に組み立てることができる大型製品用の梱包材及びこうした梱包材を用いる梱包方法を提供することにある。
【課題を解決するための手段】
【０００６】
第１発明に係る梱包材は、大型製品を梱包する梱包材であって、天面部材と、側面部材とを備える。天面部材は、大型製品の天面を覆う。側面部材は、天面部材とは別体であり、天面部材の所定の位置に吊り下げられた状態で大型製品の側面を覆う。
この梱包材は、ビル用マルチタイプの空気調和装置の室外ユニット等の大型製品を梱包するために用いられる梱包材である。一般的に、製品の天面を覆う天面部材と側面を覆う側面部材とが一体成形されている梱包材により大型製品が梱包される場合には、梱包作業に手間がかかり易い。そのため、この梱包材では、天面部材と側面部材とが別体とされている。そして、この梱包材では、側面部材が天面部材の所定の位置に吊り下げられる。即ち、側面部材が天面部材の適当な位置に位置合わせされることになる。これにより、大型製品用の梱包材を簡易に整然とした形状に組み立てることができる。
【０００７】
第２発明に係る梱包材は、第１発明に係る梱包材であって、天面部材には、開口又は差込み部の一方が形成されており、側面部材の上部には、開口又は差込み部の他方が形成されている。側面部材は、差込み部が開口に差込まれることにより、天面部材の所定の位置に吊り下げられた状態に維持される。
この梱包材では、天面部材に開口が形成されるとともに、側面部材の上部にその開口に差込まれる差込み部が形成されるか、或いは、側面部材の上部に開口が形成されるとともに、天面部材にその開口に差込まれる差込み部が形成される。このとき、開口と差込み部とが形成される位置は、開口に差込み部が差込まれた状態において天面部材と側面部材とが所定の位置関係となるように調整されている。即ち、側面部材の上部又は天面部材の一方に形成された差込み部を他方に形成された開口部に差込むだけで、側面部材が天面部材の所定の位置に吊り下げられることになる。これにより、この梱包材では、側面部材を天面部材の適当な位置に簡易に位置合わせすることができる。
【０００８】
第３発明に係る梱包材は、第２発明に係る梱包材であって、差込み部は、開曲線の形状の切り込みと、切り込みの第１端部と第２端部とを結ぶ線分とにより囲まれる部位である。切り込みは、側面部材の上部又は天面部材に形成される。
この梱包材では、側面部材の上部又は天面部材の一方に、開曲線の形状の切り込みが形成される。そして、この切り込みと、この切り込みの端部と端部とを結ぶ線分とにより囲まれる部位が、上述の差込み部となる。この差込み部は、切り込みの端部と端部とを結ぶ線分を折りしろとして折り曲げられることにより、上述の開口に差込み可能な態様となる。このように、この梱包材では、差込み部を簡易に形成することができる。
【０００９】
第４発明に係る梱包材は、第１発明から第３発明のいずれかに係る梱包材であって、側面部材は、第１側面部材と、第２側面部材とを有する。第１側面部材は、天面部材の第１位置に吊り下げられた状態で大型製品の側面を覆う。第２側面部材は、第１側面部材とは別体であり、天面部材の第２位置に吊り下げられた状態で大型製品の側面を覆う。
この梱包材の側面部材は、天面部材の複数の位置に吊り下げられる複数の部材から構成される。従って、この梱包材では、側面部材の全面が一の側面部材から構成される場合と比較して、梱包時に側面部材の取り扱いにかかる労力が軽減される。
【００１０】
第５発明に係る梱包材は、第１発明から第４発明のいずれかに係る梱包材であって、側面部材は、大型製品が梱包された状態において互いに重なり合う複数の部位を有する。
この梱包材では、梱包時に側面部材の一部と一部とが互いに重なり合うようになっている。例えば、側面部材が梱包時に製品の側面に巻き付けられる場合には、巻き始めの部位と巻き終わりの部位とが重なり合ったり、側面部材が複数の部材から構成される場合には、その複数の部材どうしが重なり合ったりする。その結果、この梱包材では、その重なり合う部分に、例えば、ステープルを打ち込んだり、接着剤を貼付したり等することにより、側面部材を固定することができる。従って、この梱包材では、梱包材の外形を整然と保つことができる。
【００１１】
第６発明に係る梱包材は、第１発明から第５発明のいずれかに係る梱包材であって、底面部材をさらに備える。底面部材は、側面部材とは別体であり、大型製品の底面を保護する。側面部材の下部は、大型製品が梱包された状態において底面部材に接触しない。
この梱包材の側面部材は、その上部が天面部材の適当な位置に位置合わせされた状態において、その下部が底面部材と接触しないような寸法に設計されている。言い換えると、側面部材の寸法は、側面部材が湿気等の環境条件により変形を起こしていない通常状態にある場合だけでなく、湿気等の環境条件により膨張した状態にある場合にも、底面部材に接触しないようになっている。このため、この梱包材では、側面部材が膨張して底面部材と接触し側面部材の外形が波を打つ等して、梱包材の整然とした形状が損なわれることが防止される。
【００１２】
第７発明に係る梱包方法は、梱包材により大型製品を梱包する梱包方法であって、載置ステップと、吊り下げステップと、固定ステップとを含む。梱包材は、天面部材と、側面部材とを有する。天面部材は、大型製品の天面を覆う。側面部材は、天面部材とは別体であり、大型製品の側面を覆う。載置ステップでは、大型製品の天面に天面部材が載置される。吊り下げステップでは、側面部材が天面部材の所定の位置に吊り下げられる。固定ステップでは、互いに重なり合う側面部材の複数の部位が固定される。
【００１３】
この梱包方法は、ビル用マルチタイプの空気調和装置の室外ユニット等の大型製品を梱包するために使用される。一般的に、製品の天面を覆う天面部材と側面を覆う側面部材とが一体成形されている梱包材により大型製品が梱包される場合には、梱包作業に手間がかかり易い。そのため、この梱包方法による梱包作業に用いられる梱包材では、天面部材と側面部材とが別体とされている。この梱包方法では、まず、製品の天面に天面部材が載置され、続いて、側面部材が天面部材の所定の位置に吊り下げられる。そして、その後、互いに重なり合う側面部材の複数の部位にステープルが打ち込まれたり、接着剤が貼付されたり等することにより、側面部材が固定される。即ち、この梱包方法では、側面部材が天面部材の適当な位置に位置合わせされた状態において、側面部材の固定作業が行われることになる。これにより、この梱包方法では、大型製品用の梱包材を簡易に整然とした形状に組み立てることができる。
【００１４】
第８発明に係る梱包方法は、第７発明に係る梱包方法であって、天面部材には、開口又は差込み部の一方が形成されており、側面部材の上部には、開口又は差込み部の他方が形成されている。吊り下げステップでは、差込み部を開口に差込むことにより、側面部材が天面部材の所定の位置に吊り下げられた状態に維持される。
この梱包方法による梱包作業に用いられる梱包材では、天面部材に開口が形成されるとともに、側面部材の上部にその開口に差込まれる差込み部が形成されるか、或いは、側面部材の上部に開口が形成されるとともに、天面部材にその開口に差込まれる差込み部が形成される。このとき、開口と差込み部とが形成される位置は、開口に差込み部が差込まれた状態において天面部材と側面部材とが所定の位置関係となるように調整されている。即ち、この梱包方法では、側面部材の上部又は天面部材の一方に形成された差込み部を他方に形成された開口部に差込むだけで、側面部材が天面部材の所定の位置に吊り下げられることになる。これにより、この梱包方法では、側面部材を天面部材の適当な位置に簡易に位置合わせすることができる。
【発明の効果】
【００１５】
第１発明に係る梱包材では、天面部材と側面部材とが別体とされており、側面部材が天面部材の所定の位置に吊り下げられる。これにより、大型製品用の梱包材を簡易に整然とした形状に組み立てることができる。
第２発明に係る梱包材では、天面部材に開口が形成されるとともに、側面部材の上部にその開口に差込まれる差込み部が形成されるか、或いは、側面部材の上部に開口が形成されるとともに、天面部材にその開口に差込まれる差込み部が形成される。これにより、この梱包材では、側面部材を天面部材の適当な位置に簡易に位置合わせすることができる。
【００１６】
第３発明に係る梱包材では、側面部材の上部又は天面部材の一方に、開曲線の形状の切り込みが形成される。そして、この切り込みと、この切り込みの端部と端部とを結ぶ線分とにより囲まれる部位が、上述の差込み部となる。このように、この梱包材では、差込み部を簡易に形成することができる。
第４発明に係る梱包材の側面部材は、天面部材の複数の位置に吊り下げられる複数の部材から構成される。従って、この梱包材では、側面部材の全面が一の側面部材から構成される場合と比較して、梱包時に側面部材の取り扱いにかかる労力が軽減される。
【００１７】
第５発明に係る梱包材では、梱包時に側面部材の一部と一部とが互いに重なり合うようになっており、その重なり合う部分に、例えば、ステープルを打ち込んだり、接着剤を貼付したり等することにより、側面部材を固定することができる。従って、この梱包材では、梱包材の外形を整然と保つことができる。
第６発明に係る梱包材の側面部材は、その上部が天面部材の適当な位置に位置合わせされた状態において、その下部が底面部材と接触しないような寸法に設計されている。このため、この梱包材では、側面部材が膨張して底面部材と接触し側面部材の外形が波を打つ等して、梱包材の整然とした形状が損なわれることが防止される。
【００１８】
第７発明に係る梱包方法では、側面部材が天面部材の適当な位置に位置合わせされた状態において、側面部材の固定作業が行われることになる。これにより、この梱包方法では、大型製品用の梱包材を簡易に整然とした形状に組み立てることができる。
第８発明に係る梱包方法では、側面部材の上部又は天面部材の一方に形成された差込み部を他方に形成された開口部に差込むだけで、側面部材が天面部材の所定の位置に吊り下げられることになる。これにより、この梱包方法では、側面部材を天面部材の適当な位置に簡易に位置合わせすることができる。
【発明を実施するための最良の形態】
【００１９】
以下、図面を参照して、本発明の一実施形態に係る梱包材１０及び梱包材１０により空気調和装置の室外ユニット１（大型製品）を梱包する梱包方法について説明する。
＜梱包材＞
梱包材１０は、空気調和装置の室外ユニット１を梱包するための梱包材である。室外ユニット１は、出荷時に工場において梱包材１０により梱包されることにより、工場から納品先までの搬送課程においてキズや汚れ等の損傷から保護される。
【００２０】
梱包材１０は、図１及び図２に示すように、主として、室外ユニット１の天面を保護する天面部材２０と、室外ユニット１の側面を保護する２枚の側面部材３０，４０と、室外ユニット１の底面を保護する底面部材５０とから構成される。これらの部材２０，３０，４０，５０は、全て別体であり、梱包時に相互に組み立てられる。以下、室外ユニット１について説明し、続いて、各部材２０，３０，４０，５０について説明する。
【００２１】
〔室外ユニット〕
室外ユニット１は、ビル用マルチタイプの空気調和装置の室外ユニットであり、図３に示すように、略直方体形状をしている。この室外ユニット１のサイズは、高さが１．８０ｍとなっている。
室外ユニット１のケーシングの左側面板７２、右側面板７４は、それぞれ支柱８１，８２、支柱８３，８４と一体に成形されている。側面板７２，７４には、ケーシング内に空気を取り込むための開口７０が設けられている。
【００２２】
室外ユニット１のケーシングの正面板７１、背面板７３は、それぞれ支柱８２，８３、支柱８１，８４の外側に装着される。そして、正面板７１の支柱８２、支柱８３付近の左端部７１ａ、右端部７１ｂは、正面板７１の中央部７１ｃからケーシングの内側に向けて陥没した形状となっており、同様に、背面板７３の支柱８１、支柱８４付近の左端部７３ａ、右端部７３ｂは、背面板７３の中央部７３ｃからケーシングの内側に向けて陥没した形状となっている。なお、これらの部位７１ａ，７１ｂ，７１ｃ、部位７３ａ，７３ｂ，７３ｃは、それぞれ正面板７１、背面板７３の上下方向の全体に亘って広がっている。そして、正面板７１、背面板７３の下方には、室外ユニット１をフォークリフトにより搬送する際にフォークリフトのフォークが差込まれるフォーク穴８５が形成されている。
【００２３】
また、室外ユニット１の上端付近のモータ支持台には、室外ファン７９を駆動するモータが据え付けられている。
室外ユニット１のケーシングの天板７５は、その外周縁部が支柱８１〜８４、側面板７２，７４及び背面板７３に固定されている。天板７５には、室外ファン７９の羽根車の周囲に配置される略円筒形状のベルマウス７９ａに対応する円孔が開けられており、この円孔が室外ユニット１の空気吹出口を形成している。そして、天板７５には、この空気吹出口を覆うようにして格子状の軟鋼線のファンカバー（図示せず）が取り付けられている。
【００２４】
〔天面部材〕
天面部材２０は、図４に示すように、主として、ダンボール製の箱２１と、この箱２１を内側から支える支柱構造２２とから構成され、主として、室外ユニット１のケーシングの天板７５を覆う。
箱２１は、略直方体形状をしており、天板７５側が開口している。箱２１は、天面部２１ａと、天面部２１ａの四辺に連続する第１側面部２１ｂ、第２側面部２１ｃ、第３側面部２１ｄ及び第４側面部２１ｅとを有する。そして、天面部２１ａは、天板７５と同様の輪郭を有している。支柱構造２２は、合板が井桁状に組まれたものである。
【００２５】
そして、図４に示すように、第１側面部２１ｂ及び第３側面部２１ｄにはそれぞれ２箇所ずつ、第２側面部２１ｃ及び第４側面部２１ｅにはそれぞれ１箇所ずつ、上下方向に細長い形状のスリット６１が形成されている。これら３つのスリット６１は、全て同じ形状に揃えられており、その上下方向の位置も全て同じに揃えられている。また、このスリット６１の上下方向の長さは、後述する側面部材３０，４０の差込み部６２の上下方向の長さと略同一となっており、また、このスリット６１の左右方向の幅は、側面部材３０，４０の厚み、即ち、差込み部６２の厚みと略同一となっている。従って、一度スリット６１に差込まれた差込み部６２は、スリット６１から抜けにくくなっている。
【００２６】
〔側面部材〕
側面部材３０は、主として、室外ユニット１のケーシングの正面板７１及び左側面板７２を覆い、側面部材４０は、主として、室外ユニット１のケーシングの背面板７３及び右側面板７４を覆う。側面部材３０と側面部材４０とは、同じ材料から同じ型取りで作製される同一の部材である。以下、側面部材３０について説明するが、３０番台の符号を４０番台の符号と読み替えることにより、側面部材４０についても同様に説明される。
【００２７】
側面部材３０は、図５に示すように、ダンボール製の一枚物の部材であり、主として、左右方向に並ぶ第１面部３１と、第２面部３２と、留めしろ３３とから構成される。第１面部３１と第２面部３２との境界には、ミシン目３４が形成されており、第２面部３２と留めしろ３３との境界には、ミシン目３５が形成されている。そして、このミシン目３４，３５を折りしろとして側面部材３０を山折りすると、第１面部３１及び第２面部３２と比較して留めしろ３３の幅が狭いため、側面部材３０の縦断面視形状は、図４に示すような略Ｌ字形となる。室外ユニット１が梱包された状態において、第１面部３１、第２面部３２は、それぞれ室外ユニット１のケーシングの正面板７１、左側面板７２を覆い、留めしろ３３は、背面板７３の左端部７３ａ付近を覆う。
【００２８】
そして、第１面部３１の上部３１ａには２箇所、第２面部３２の上部３２ａには１箇所、差込み部６２が形成されている。差込み部６２は、４つの角Ａ〜角Ｄを頂点とする略長方形の形状をしており、また、上下方向に隣接する角Ａ，Ｂ付近においてＲ面取りされた形状となっている。この差込み部６２の輪郭は、切り込み３６とミシン目３７とにより規定され、切り込み３６は辺ＤＡ、辺ＡＢ及び辺ＢＣに対応し、ミシン目３７は辺ＣＤに対応している。そして、このミシン目３７を折りしろとしてこの３つの差込み部６２を山折りすると、この３つの差込み部６２は、天面部材２０の第１側面部２１ｂ及び第２側面部２１ｃに形成された３つのスリット６１に差込むことが可能な態様になる。なお、この３つの差込み部６２は、全て同じ形状をしており、その上下方向の位置も揃えられている。
【００２９】
また、第１面部３１の第２面部３２と反対側の縁部３１ｂには、ステープル６５が打ち込まれることになる（図１参照）。ステープル６５の打ち込みの詳細については、後述する。
また、側面部材３０の下部３８には、ミシン目３４，３５付近を残して、切り込みが形成されている。そして、このような切り込みが形成されることにより、側面部材３０のミシン目３４，３５付近以外における下端３８ａは、ミシン目３４，３５付近における下端３８ｂよりも上下方向に高い位置に存在するようになっている。側面部材３０の下端３８ａは、室外ユニット１が梱包された状態において、室外ユニット１のケーシングの正面板７１及び左側面板７２の下端と略同じ高さとなる。また、第１面部３１の下部３８に形成されるこの切り込みは、室外ユニット１が梱包された状態において、室外ユニット１に形成されるフォーク穴８５をフォークリフトのフォークに対して開放する役割を果たしている。
【００３０】
〔底面部材〕
底面部材５０は、主として、井桁状に組まれた合板からなる。そして、室外ユニット１の梱包時には、この井桁の四隅の交差部分に室外ユニット１の支柱８１〜８４が載置されることになる。これにより、底面部材５０には、室外ユニット１の荷重に耐え得る十分な強度が確保されるようになっている。
【００３１】
＜梱包作業の手順＞
次に、上述の梱包材１０により室外ユニット１を梱包する梱包作業の手順について説明する。この梱包作業は、作業者１人で行うことが可能であるが、複数人で行うことも可能である。
まず、底面部材５０上に室外ユニット１を載置する。このとき、室外ユニット１の支柱８１〜８４が井桁状に組まれた底面部材５０の四隅の交差部分上に立脚するようにする。このとき、室外ユニット１の移動には、フォークリフト等が用いられる。
【００３２】
次に、室外ユニット１のケーシングの天板７５上に天面部材２０を位置合わせして載置する。即ち、天面部材２０の天面部２１ａが上方を向き、天面部２１ａの輪郭と天板７５の輪郭とが揃うようにする。なお、このとき、天面部材２０が天面部２１ａの中心を上下方向に貫く仮想線に対して対称な形状をしているため、室外ユニット１の正面板７１又は背面板７３のどちらか一方が、第１側面部２１ｂと略同一平面内に並ぶように配置すれば足る。
【００３３】
次に、側面部材３０をミシン目３４，３５，３７を折りしろとして所定の方向に折り曲げ、図４に示す形状の側面部材３０とする。そして、側面部材３０と同一の部材である側面部材４０に対しても同様の作業を加え、側面部材４０を図４に示す形状の側面部材４０とする。
次に、室外ユニット１のケーシングの天板７５上に載置された天面部材２０に対して、側面部材３０を位置合わせする。具体的には、天面部材２０の第１側面部２１ｂ及び第２側面部２１ｃに形成された３つのスリット６１に、ミシン目３７に沿って折り曲げられた側面部材３０の３つの差込み部６２を差込む。これにより、側面部材３０が天面部材２０に吊り下げられた状態になる。そして、この状態において、側面部材３０の上端は、天面部材２０の天面部２１ａの上端よりも長さＬ１だけ下方に位置するようになる（図１参照）。さらに、この状態において、側面部材３０の最下端３８ｂは、図６に示すように、底面部材５０よりも長さＬ２だけ上方に位置するようになる。この長さＬ１は、側面部材３０が湿気等の環境条件により膨張した場合にも、側面部材３０の上端が天面部２１ａの上端を超えないように設計されており、また、長さＬ２は、側面部材３０が湿気等の環境条件により膨張した場合にも、側面部材３０の最下端３８ｂが底面部材５０に接触しないように設計されている。
【００３４】
次に、室外ユニット１のケーシングの天板７５上に載置された天面部材２０に対して、側面部材４０を位置合わせする。詳細は、側面部材３０の場合と同様である。
以上のような手順により、側面部材３０，４０が天面部材２０に吊り下げられた状態においては、側面部材３０の留めしろ３３が側面部材４０の第１面部４１の縁部４１ｂと、側面部材４０の留めしろ４３が側面部材３０の第１面部３１の縁部３１ｂと重なり合う。そして、ステープラを用いて留めしろ３３と縁部４１ｂとを固定するように上下方向に５箇所ステープル６５を打ち込み、留めしろ４３と縁部３１ｂとを固定するように上下方向に５箇所ステープル６５を打ち込む。なお、このとき、スリット６１と差込み部６２との位置合わせ機構により、既に側面部材３０，４０が天面部材２０に対して所望の位置に位置合わせされており、且つ、ある程度固定されていることになる。従って、作業者は、ステープル６５を打ち込むに際して、側面部材３０，４０と天面部材２０とを両者が所望の位置関係を維持するように支えている必要がなくなり、作業性が向上する。
【００３５】
＜特徴＞
（１）
従来、室外ユニット１のような大型製品が、天面部材２０及び側面部材３０，４０のような天面部材と側面部材とから梱包される場合、スリット６１及び差込み部６２のような位置合わせ機構が設けられていなかったため、側面部材を天面部材に吊り下げることができなかった。従って、側面部材をステープル６５等で固定しようすると、作業者自ら側面部材を所望の位置に支えつつステープル６５を打ち込む必要があり、その結果、側面部材が所望の位置からずれた状態でステープル６５が打ち込まれ、そのまま固定されることも多々見られた。
【００３６】
上記実施形態では、梱包材１０が、主として、別体の天面部材２０と側面部材３０，４０とにより構成されている。そして、天面部材２０に形成されたスリット６１に側面部材３０，４０に形成された差込み部６２が差込まれることにより、側面部材３０，４０が天面部材２０に吊り下げられ、位置合わせされるようになっている。このスリット６１及び差込み部６２の位置と形状とは、所望の態様となるように予め設計されているため、スリット６１に差込み部６２を差込むだけで、天面部材２０と側面部材３０，４０とを所望の位置関係に維持することができる。従って、側面部材３０，４０にステープル６５を打ち込む際に、天面部材２０と側面部材３０，４０との相対位置がずれにくく、その結果、梱包材１０が簡易に整然とした形状に組み立てられることになる。
【００３７】
（２）
上記実施形態では、側面部材３０，４０が天面部材２０に位置合わせされた状態において、側面部材３０，４０の上端が天面部材２０の天面部２１ａの上端よりも長さＬ１だけ下方に位置し、側面部材３０，４０の最下端３８ｂ，４８ｂが底面部材５０よりも長さＬ２だけ上方に位置している。このため、側面部材３０，４０が膨張しても、梱包材１０全体の形状が損なわれにくくなっている。特に、側面部材３０，４０と底面部材５０との接触が防止されるため、側面部材３０，４０が底面部材５０に押し上げられて変形することもなく、その外形が整然と保たれ易くなっている。
【００３８】
（３）
上記実施形態では、スリット６１の上下方向の長さが側面部材３０，４０の差込み部６２の上下方向の長さと略同一となっており、また、スリット６１の左右方向の幅が差込み部６２の厚みと略同一となっている。また、差込み部６２の角Ａ，Ｂ付近においてＲ面取りが施されている。従って、スリット６１に差込まれた差込み部６２がスリット６１から抜けにくくなっているとともに、スリット６１に差込み部６２が差込まれ易くなっている。
【００３９】
＜変形例＞
（１）
上記実施形態では、ビル用マルチタイプの空気調和装置の室外ユニット１を梱包する梱包材１０について例示したが、本発明はその他の大型製品全般に適用可能である。特に、上下ないし左右方向の幅が作業者の腕の長さを超える側面部材３０，４０のような部材を取り扱う必要があるために少人数での作業が困難となるような場合には、本発明が有用となる。
【００４０】
（２）
上記実施形態では、天面部材２０にスリット６１が形成され、側面部材３０，４０に差込み部６２が形成されているが、側面部材３０，４０にスリット６１が形成され、天面部材２０に差込み部６２が形成されるようになっていてもよい。また、天面部材２０と側面部材３０，４０との位置合わせ機構は、差込み部６２がスリット６１に差込まれる機構であることに限定されず、天面部材２０に側面部材３０，４０を吊り下げることが可能な任意の機構により実現され得る。
【００４１】
（３）
上記実施形態では、差込み部６２の角Ａ，Ｂ付近にＲ面取りが施されているが、Ｃ面取りが施されていてもよいし、また、面取りが施されていなくてもよい。
（４）
上記実施形態では、天面部材２０及び側面部材３０，４０にダンボールが使用されているが、その他の材料が使用されてもよい。
【００４２】
（５）
上記実施形態では、側面部材３０は、その最下端３８ｂが底面部材５０よりも長さＬ２だけ上方に位置するように設計されている。しかしながら、本発明はこの態様に限定されず、側面部材３０は、その真下に底面部材５０ではなく室外ユニット１の設置床面等のその他の面が位置する場合には、側面部材３０が湿気等の環境条件により膨張した場合にも、その面と側面部材３０の最下端３８ｂとが接触しないように設計される。
【産業上の利用可能性】
【００４３】
本発明は、大型製品用の梱包材を簡易に整然とした形状に組み立てることができるという効果を有し、大型製品を梱包する梱包材及び梱包方法として有用である。
【図面の簡単な説明】
【００４４】
【図１】本発明の一実施形態に係る室外ユニットを梱包した状態の梱包材を正面左側上方から見た外観図。
【図２】本発明の一実施形態に係る室外ユニットを梱包した状態の梱包材を背面右側上方から見た外観図。
【図３】室外ユニットを正面左側上方から見た外観図。
【図４】正面左側上方から見た天面部材と側面部材との分解図。
【図５】側面部材の展開図。
【図６】梱包材により梱包された状態の室外ユニットの正面左側の支柱を左側から見た断面図。
【符号の説明】
【００４５】
１  室外ユニット（大型製品）
１０  梱包材
２０  天面部材
３０  側面部材（第１側面部材）
３１ａ，３２ａ，４１ａ，４２ａ  側面部材の上部
３１ｂ，４１ｂ  縁部（互いに重なり合う複数の部位）
３３，４３  留めしろ（互いに重なり合う複数の部位）
３６  切り込み
３７  ミシン目（切り込みの第１端部と第２端部とを結ぶ線分）
３８，４８  側面部材の下部
４０  側面部材（第２側面部材）
５０  底面部材
６１  スリット（開口）
６２  差込み部
【図１】
2007246118.tif 000003
【図２】
2007246118.tif 000004
【図３】
2007246118.tif 000005
【図４】
2007246118.tif 000006
【図５】
2007246118.tif 000007
【図６】
2007246118.tif 000008